(57)【特許請求の範囲】
【請求項１】
内容物が収容されるとともに内容物の吐出孔が形成された容器本体と、
該容器本体に容器軸回りに回転可能に装着されるとともに、連通孔が形成された開閉蓋と、を備え、
該開閉蓋の容器本体に対する容器軸回りの回転移動に伴い、吐出孔と連通孔との連通および遮断が切り替えられる容器であって、
前記開閉蓋には、前記容器本体の頂壁部を露出させる窓孔が形成され、
前記容器本体の頂壁部において前記窓孔により露出された部分に、係合突部が突設され、
前記窓孔の内周縁には、該内周縁との間で前記係合突部を囲繞する枠片が破断可能な弱化部を介して連結されていることを特徴とする容器。
【請求項２】
請求項１記載の容器であって、
前記吐出孔は、前記容器本体に容器軸回りに間隔をあけて、互いの形態を異ならせて複数形成され、
前記容器本体において、前記吐出孔が形成された周方向位置と対応する各位置に、当該周方向位置に配設された吐出孔の形態を表す第１表示部が各別に形成され、
これらの第１表示部のうちの少なくとも１つが前記係合突部を兼ねていることを特徴とする容器。
【請求項３】
請求項２記載の容器であって、
前記吐出孔は、前記容器本体の周壁部に形成され、
前記開閉蓋は、有頂筒状に形成されて、その周壁部に前記連通孔が形成され、かつ天壁部に前記窓孔が形成されるとともに、前記容器本体の周壁部に外嵌され、
該開閉蓋の天壁部において、前記連通孔と対応する周方向部分に第２表示部が形成され、
前記第１表示部は、容器本体の頂壁部において前記窓孔により露出された部分に形成されていることを特徴とする容器。
【発明の詳細な説明】
【技術分野】
【０００１】
本発明は、容器に関するものである。
【背景技術】
【０００２】
従来から、内容物が収容されるとともに内容物の吐出孔が形成された容器本体と、該容器本体に容器軸回りに回転可能に装着されるとともに、連通孔が形成された開閉蓋と、を備え、開閉蓋の容器本体に対する容器軸回りの回転移動に伴い、吐出孔と連通孔との連通および遮断が切り替えられる容器が知られている。
ところで、この種の容器として、例えば下記特許文献１に示されるように、開閉蓋に破断可能な弱化部を介して連結されるとともに、容器本体に容器軸回りに回転不能に装着された係止バンド（係止筒）が配設されることによって、需要者が不正開封を識別可能になるタンパーエビデンス性を具備する構成が知られている。
そして需要者は、容器が未開封の状態で、まず、係止バンドのつまみ片を摘んで引っ張り弱化部を破断して係止バンドを開閉蓋から分離することで、開閉蓋を容器本体に対して容器軸回りに回転自在にし、その後、開閉蓋を把持し容器本体に対して容器軸回りに回転移動させ、連通孔を吐出孔に合わせて両孔を連通させる。
【先行技術文献】
【特許文献】
【０００３】
【特許文献１】特許第３２７０６２４号公報
【発明の概要】
【発明が解決しようとする課題】
【０００４】
しかしながら、従来の容器では、未開封の状態から開閉蓋の連通孔を容器本体の吐出孔に合わせるまでの操作性に改善の余地があった。
【０００５】
本発明は、このような事情を考慮してなされたもので、未開封の状態から開閉蓋の連通孔を容器本体の吐出孔に合わせるまでの操作性を向上させることができる容器を提供することを目的とする。
【課題を解決するための手段】
【０００６】
上記課題を解決して、このような目的を達成するために、本発明の容器は、内容物が収容されるとともに内容物の吐出孔が形成された容器本体と、該容器本体に容器軸回りに回転可能に装着されるとともに、連通孔が形成された開閉蓋と、を備え、該開閉蓋の容器本体に対する容器軸回りの回転移動に伴い、吐出孔と連通孔との連通および遮断が切り替えられる容器であって、前記開閉蓋には、前記容器本体の頂壁部を露出させる窓孔が形成され、前記容器本体の頂壁部において前記窓孔により露出された部分に、係合突部が突設され、前記窓孔の内周縁には、該内周縁との間で前記係合突部を囲繞する枠片が破断可能な弱化部を介して連結されていることを特徴とする。
【０００７】
本発明によれば、未開封の状態で、開閉蓋を容器本体に対して容器軸回りに回転移動させようとすると、開閉蓋の枠片が、容器本体の係合突部に係合することにより弱化部が破断されて、開閉蓋が容器本体に対して容器軸回りに回転自在になり、さらに継続して同様に開閉蓋を回転移動させると、開閉蓋の連通孔を容器本体の吐出孔に合わせることが可能になる。
これにより、開閉蓋を容器軸回りに容器本体に対して回転移動させるだけで、未開封の状態から開閉蓋の連通孔を容器本体の吐出孔に合わせることが可能になり、操作性を向上させることができる。
また、係合突部が、容器本体の頂壁部のうち前記窓孔により露出された部分に配設され、かつ窓孔の内周縁に、該内周縁との間で係合突部を囲繞する枠片が破断可能な弱化部を介して連結されているので、開閉蓋に加えた容器本体に対する容器軸回りの力を、弱化部に効率よく伝達することができる。
さらに、この容器が不正開封された場合には、弱化部が破断され枠片が開閉蓋から分離されることから、需要者に容易かつ確実に不正開封を認識させることができる。
【０００８】
ここで、前記吐出孔は、前記容器本体に容器軸回りに間隔をあけて、互いの形態を異ならせて複数形成され、前記容器本体において、前記吐出孔が形成された周方向位置と対応する各位置に、当該周方向位置に配設された吐出孔の形態を表す第１表示部が各別に形成され、これらの第１表示部のうちの少なくとも１つが前記係合突部を兼ねてもよい。
【０００９】
この場合、吐出孔が容器本体に互いの形態を異ならせて複数形成されているので、需要者において内容物を吐出する態様を適宜選択することが可能になる。
また、容器本体において、吐出孔が形成された周方向位置と対応する各位置に、当該周方向位置に配設された吐出孔の形態を表す第１表示部が各別に形成されているので、複数の吐出孔のうち所望の形態の吐出孔に連通孔を容易に合わせることが可能になる。
さらに、複数の第１表示部のうちの少なくとも１つが前記係合突部を兼ねているので、前記係合突部を配設したことでデザイン上の制約を受けてしまうのを抑えることができる。
【００１０】
また、前記吐出孔は、前記容器本体の周壁部に形成され、前記開閉蓋は、有頂筒状に形成されて、その周壁部に前記連通孔が形成され、かつ天壁部に前記窓孔が形成されるとともに、前記容器本体の周壁部に外嵌され、該開閉蓋の天壁部において、前記連通孔と対応する周方向部分に第２表示部が形成され、前記第１表示部は、容器本体の頂壁部において前記窓孔により露出された部分に形成されてもよい。
【００１１】
この場合、容器を頂壁部側から見下ろしながら、開閉蓋を容器本体に対して容器軸回りに回転移動させ、複数の第１表示部のうち所望の吐出孔の形態を表す第１表示部に第２表示部を合わせることで、複数の吐出孔のうち所望の形態の吐出孔に連通孔を合わせることが可能になり、取り扱い性を向上させることができる。
【発明の効果】
【００１２】
本発明によれば、未開封の状態から開閉蓋の連通孔を容器本体の吐出孔に合わせるまでの操作性を向上させることができる。
【図面の簡単な説明】
【００１３】
【図１】本発明に係る一実施形態として示した容器の未開封状態の上面図である。
【図２】図１に示す容器のＡ−Ａ線矢視断面図である。
【図３】図１に示す容器のＢ−Ｂ線矢視断面図である。
【図４】図１から図３の容器において、弱化部を破断して枠片を開閉蓋から分離し、開閉蓋の連通孔を、容器本体に形成された複数の吐出孔のうちの１つに合わせた状態を示す上面図である。
【図５】図４に示す容器の全体側面図である。
【発明を実施するための形態】
【００１４】
以下、図面を参照し、この発明の実施の形態について説明する。
本実施形態に係る容器１は、図１から図５に示されるように、内容物が収容されるとともに内容物の吐出孔１１、１２が形成された容器本体１３と、容器本体１３に容器軸Ｏ回りに回転可能に装着されるとともに、連通孔１４が形成された開閉蓋１５と、を備えている。
そして、開閉蓋１５の容器本体１３に対する容器軸Ｏ回りの回転移動に伴い、吐出孔１１、１２と連通孔１４との連通および遮断が切り替えられて吐出孔１１、１２が開閉されるように構成されている。
【００１５】
容器本体１３は、有底筒状の容器体１６と、容器体１６の口部に装着されるとともに吐出孔１１、１２が形成された有頂筒状の装着体１７と、を備えている。
ここで、容器体１６および装着体１７はそれぞれ、横断面視円形状に形成されるとともに、共通軸と同軸に配設されている。以下、この共通軸を容器軸Ｏといい、また、容器軸Ｏに直交する方向を径方向といい、容器軸Ｏを中心に周回する方向を周方向といい、さらに容器軸Ｏ方向に沿って装着体１７側を上側といい、容器体１６の底部１６ａ側を下側という。
【００１６】
装着体１７は、有頂筒状の本体部１８と、本体部１８から下方に向けて延設され容器体１６の口部に外嵌された装着筒１９と、本体部１８から下方に向けて延設され容器体１６の口部内に嵌合されたシール筒２０と、を備えている。なお、装着筒１９には、破断可能な弱化部１９ａが周方向の一部を除く全周にわたって形成されている。装着筒１９において、弱化部１９ａより下方に位置する部分に、図２および図３に示されるように、容器体１６の口部に形成された嵌合凹部に嵌合された嵌合突部が径方向の内方に向けて突設されている。
本体部１８の天壁部２１（容器本体の頂壁部）の外周縁部には、径方向の外側に向けて開口する環状溝２１ａが全周にわたって形成されている。
【００１７】
ここで本実施形態では、前述の吐出孔１１、１２が、本体部１８の周壁部２２に容器軸Ｏ回りに間隔をあけて、互いの形態を異ならせて複数形成されている。
吐出孔１１、１２は、本体部１８の周壁部２２において径方向で互いに対向する各位置に形成されている。図示の例では、吐出孔１１、１２は、本体部１８の周壁部２２に２箇所形成されている。
【００１８】
一方の吐出孔１１は、図３および図５に示されるように、互いに独立した状態で近接して配置された複数の小孔１１ａにより構成されている。図示の例では、複数の小孔１１ａは、周方向に間隔をあけて複数形成されるとともに、容器軸Ｏ方向に間隔をあけて複数形成されている。また、各小孔１１ａは円形状に形成されている。
他方の吐出孔１２は、１つの大孔とされ、図２に示されるように、径方向から見た平面視で矩形状を呈し、かつその開口面積は、本体部１８の周壁部２２において吐出孔１１が形成されている領域の平面積と同等になっている。
以上より、一方の吐出孔１１では、内容物を分散させて比較的少量ずつ吐出することが可能であり、また、他方の吐出孔１２では、内容物をまとめて比較的大量に吐出することが可能になっている。
【００１９】
開閉蓋１５は、有頂筒状に形成されて、図２および図５に示されるように、その周壁部２３に連通孔１４が形成されている。また、開閉蓋１５は、その周壁部２３が装着体１７の本体部１８の周壁部２２に容器軸Ｏ回りに回転可能に外嵌されて、容器本体１３に装着されている。
ここで、開閉蓋１５の天壁部２４には、図１〜図４に示されるように、装着体１７の本体部１８の天壁部２１を露出させる窓孔２５が形成されている。図示の例では、窓孔２５は、容器軸Ｏと同軸に位置する円形開口とされ、開閉蓋１５の天壁部２４は円環状の板体となっている。
【００２０】
そして、開閉蓋１５の天壁部２４が、装着体１７の本体部１８の天壁部２１に形成された環状溝２１ａ内に載置された状態で、窓孔２５内に、装着体１７の本体部１８の天壁部２１のうち、環状溝２１ａより径方向の内側に位置する主板部２１ｂが嵌合されている。これにより、装着体１７の本体部１８の天壁部２１のうち、主板部２１ｂが、開閉蓋１５に形成された窓孔２５により露出されている。なお、環状溝２１ａの深さは、開閉蓋１５の天壁部２４の厚さと同等になっている。
【００２１】
ここで本実施形態では、容器本体１３において、吐出孔１１、１２が形成された周方向位置と対応する各位置に、図１、図３および図４に示されるように、当該周方向位置に配設された吐出孔１１、１２の形態を表す第１表示部２６、２７が各別に形成されている。
図示の例では、第１表示部２６、２７は、装着体１７の前記主板部２１ｂに形成され、その平面視形状は吐出孔１１、１２の平面視形状と同形状を呈している。
【００２２】
さらに本実施形態では、２つの第１表示部２６、２７のうち、一方の吐出孔１１の平面視形状と同じ平面視形状を呈する一方の第１表示部（係合突部）２６が、装着体１７の前記主板部２１ｂから上方に向けて突出する突部となっている。
本実施形態では、一方の第１表示部２６は、複数の小突起２６ａが、前記複数の小孔１１ａと同様の態様で配列されて構成されている。なお図示の例では、小突起２６ａの外径は、小孔１１ａの内径と同等になっている。また、一方の吐出孔１１の大きさと、一方の第１表示部２６の大きさと、を異ならせてもよいし同等にしてもよい。
【００２３】
そして、図１に示されるように、開閉蓋１５の窓孔２５の内周縁に、該内周縁との間で一方の第１表示部２６を囲繞する枠片２８が破断可能な弱化部２９を介して連結されている。
つまり、一方の第１表示部２６は、装着体１７の前記主板部２１ｂに突設されて枠片２８に係合する係合突部を兼ねている。なお図示の例では、枠片２８の平面視形状は、径方向の外側に向けて開口するＣ字状に形成され、その内周縁に、一方の第１表示部２６の外縁が近接若しくは当接している。
また、２つの第１表示部２６、２７のうち、他方の吐出孔１２の平面視形状と同じ平面視形状を呈する他方の第１表示部２７も、前記一方の第１表示部２６と同様に、前記主板部２１ｂから上方に向けて突出する突部となっている。なお、他方の吐出孔１２の大きさと、他方の第１表示部２７の大きさと、を異ならせてもよいし同等にしてもよい。
【００２４】
また本実施形態では、図１、図２および図４に示されるように、開閉蓋１５の天壁部２４において、連通孔１４と対応する周方向部分に第２表示部３０が形成されている。図示の例では、第２表示部３０は、径方向の内側を指す矢印となっている。
なお、第２表示部３０は、開閉蓋１５の天壁部２４に上方に向けて突設されている。また、開閉蓋１５の天壁部２４における径方向の中間部には、第２表示部３０が配設されている位置を除く全周にわたって連続して延びる環状突部２４ｂが形成されている。さらに、第１表示部２６、２７、第２表示部３０、環状突部２４ｂおよび枠片２８それぞれの上面は、図２および図３に示されるように、容器軸Ｏに直交する同一の平面上に位置している。
【００２５】
以上説明したように、本実施形態による容器１によれば、未開封の状態で、開閉蓋１５を容器本体１３に対して容器軸Ｏ回りに回転移動させようとすると、開閉蓋１５の枠片２８が、容器本体１３の一方の第１表示部２６に係合することにより弱化部２９が破断されて、開閉蓋１５が容器本体１３に対して容器軸Ｏ回りに回転自在になり、さらに継続して同様に開閉蓋１５を回転移動させると、開閉蓋１５の連通孔１４を容器本体１３の吐出孔１１、１２に合わせることが可能になる。
【００２６】
これにより、開閉蓋１５を容器軸Ｏ回りに容器本体１３に対して回転移動させるだけで、未開封の状態から開閉蓋１５の連通孔１４を容器本体１３の吐出孔１１、１２に合わせることが可能になり、操作性を向上させることができる。
また、一方の第１表示部２６が、装着体１７の前記主板部２１ｂに配設され、かつ窓孔２５の内周縁に、該内周縁との間で一方の第１表示部２６を囲繞する枠片２８が破断可能な弱化部２９を介して連結されているので、開閉蓋１５に加えた容器本体１３に対する容器軸Ｏ回りの力を、弱化部２９に効率よく伝達することができる。
さらにまた、この容器１が不正開封された場合には、弱化部２９が破断され枠片２８が開閉蓋１５から分離されることから、需要者に容易かつ確実に不正開封を認識させることができる。
【００２７】
さらに、吐出孔１１、１２が容器本体１３に互いの形態を異ならせて複数形成されているので、需要者において内容物を吐出する態様を適宜選択することが可能になる。
また、容器本体１３において、吐出孔１１、１２が形成された周方向位置と対応する各位置に、当該周方向位置に配設された吐出孔１１、１２の形態を表す第１表示部２６、２７が各別に形成されているので、複数の吐出孔１１、１２のうち所望の形態の吐出孔に連通孔１４を容易に合わせることが可能になる。
さらに、一方の第１表示部２６が、装着体１７の前記主板部２１ｂに突設されて枠片２８に係合する係合突部を兼ねているので、該係合突部を配設したことで容器１がデザイン上の制約を受けてしまうのを抑えることができる。
【００２８】
また、容器１を上側から見下ろしながら、開閉蓋１５を容器本体１３に対して容器軸Ｏ回りに回転移動させ、複数の第１表示部２６、２７のうち所望の吐出孔１１、１２の形態を表す第１表示部に第２表示部３０を合わせることで、複数の吐出孔１１、１２のうち所望の形態の吐出孔に連通孔１４を合わせることが可能になり、取り扱い性を向上させることができる。
【００２９】
なお、本発明の技術的範囲は前記実施の形態に限定されるものではなく、本発明の趣旨を逸脱しない範囲において種々の変更を加えることが可能である。
【００３０】
例えば前記実施形態では、容器本体１３として、有底筒状の容器体１６と装着体１７とを備える構成を示したが、これに代えて例えば、吐出孔１１、１２が形成された有頂筒状の容器体と、この容器体の下端開口を閉塞する底板と、を備える構成を採用してもよい。
また前記実施形態では、２つの第１表示部２６、２７のうち、一方の吐出孔１１の形態を表す一方の第１表示部２６が、枠片２８に係合した構成を示したが、他方の吐出孔１２の形態を表す他方の第１表示部２６を、枠片２８に係合してもよいし、全ての第１表示部２６、２７に枠片２８を係合してもよい。
前記実施形態において、２つの第１表示部２６、２７のうち、枠片２８に係合しない他方の表示部２７は、例えば凹状に形成したり、貼着したシールとする等、適宜変更してもよい。
さらに、一方の吐出孔１１の形態を表す一方の第１表示部２６とは別に、枠片２８に係合するためだけの係合突部を配設することで、一方の第１表示部２６に、枠片２８に係合する係合突部を兼ねさせなくてもよい。
また、第１表示部２６、２７は、例えば「小」や「大」等の吐出孔の形態を表現する文字であってもよい。
さらに、吐出孔１１、１２を容器本体１３の頂壁部に形成し、かつ連通孔１４を開閉蓋１５の天壁部２４に形成してもよく、また、第１表示部２６、２７は、容器本体１３の周壁部に配設してもよく、さらに、第２表示部３０は、開閉蓋１５の周壁部２３に配設してもよい。
また、第１表示部２６、２７および第２表示部３０は配設しなくてもよい。
【００３１】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３２】
未開封の状態から開閉蓋の連通孔を容器本体の吐出孔に合わせるまでの操作性を向上させることができる。
【符号の説明】
【００３３】
１  容器
１１、１２  吐出孔
１３  容器本体
１４  連通孔
１５  開閉蓋
１７  装着体
２１  装着体の天壁部（容器本体の頂壁部）
２１ｂ  主板部（窓孔により露出された部分）
２２  装着体の周壁部（容器本体の周壁部）
２３  開閉蓋の周壁部
２４  開閉蓋の天壁部
２５  窓孔
２６  一方の第１表示部（係合突部）
２７  他方の第１表示部
２８  枠片
２９  弱化部
３０  第２表示部
Ｏ  容器軸
【図１】
0005481304.tif 000002
【図２】
0005481304.tif 000003
【図３】
0005481304.tif 000004
【図４】
0005481304.tif 000005
【図５】
0005481304.tif 000006